(57)【特許請求の範囲】
【請求項１】
回転数が変動する回転軸（１２）と、前記回転軸（１２）に設けられた支持体（１４）と、前記支持体（１４）の外周部の周方向に分割された複数の領域（Ｓ）にそれぞれ支持された複数の慣性質量体（１６）と、前記支持体（１４）の前記複数の領域（Ｓ）にそれぞれ設けられた一対の第１曲線軌道（２２Ａ，２２Ｂ）と、前記複数の慣性質量体（１６）にそれぞれ設けられて前記一対の第１曲線軌道（２２Ａ，２２Ｂ）と逆方向に湾曲する一対の第２曲線軌道（２３Ａ，２３Ｂ）と、前記第１曲線軌道（２２Ａ，２２Ｂ）および前記第２曲線軌道（２３Ａ，２３Ｂ）の交差部に転動自在に嵌合する複数のピン（２４）とを備え、前記支持体（１４）に対して前記慣性質量体（１６）が前記第１、第２曲線軌道（２２Ａ，２２Ｂ；２３Ａ，２３Ｂ）の形状に応じた軌跡で振子振動することで制振作用を発揮する遠心振子式制振装置であって、
前記一対の第１曲線軌道（２２Ａ，２２Ｂ）の形状を相互に異ならせるとともに、前記一対の第２曲線軌道（２３Ａ，２３Ｂ）の形状を相互に異ならせたことを特徴とする遠心振子式制振装置。
【請求項２】
前記一対の第１曲線軌道（２２Ａ，２２Ｂ）の一方（２２Ａ）の曲率半径の中心（Ａ）と前記一対の第２曲線軌道（２３Ａ，２３Ｂ）の一方（２３Ａ）の曲率半径の中心（Ｃ）とを結ぶ第１線分の長さと、前記一対の第１曲線軌道（２２Ａ，２２Ｂ）の他方（２２Ｂ）の曲率半径の中心（Ｂ）と前記一対の第２曲線軌道（２３Ａ，２３Ｂ）の他方（２３Ｂ）の曲率半径の中心（Ｄ）とを結ぶ第２線分の長さとが異なることを特徴とする、請求項１に記載の遠心振子式制振装置。
【請求項３】
前記慣性質量体（１６）は中央部よりも外端部の質量が大きいことを特徴とする、請求項１または請求項２に記載の遠心振子式制振装置。
【発明の詳細な説明】
【技術分野】
【０００１】
本発明は、回転軸と共に回転する支持体に複数の慣性質量体を支持し、回転軸の回転変動に応じて前記慣性質量体を振子振動させて制振機能を発揮させる遠心振子式制振装置に関する。
【背景技術】
【０００２】
かかる遠心振子式制振装置において、回転する支持体に設けた一対の第１曲線軌道と慣性質量体に設けた一対の第２曲線軌道とにピンを転動可能に嵌合し、慣性質量体を曲率半径が変化する円弧状の軌跡に沿って振子振動させ、慣性質量体の固有振動周波数を振幅によらずに常に一定とすることで制振機能を向上させるものが、下記特許文献１により公知である。【０００３】
また、かかる遠心振子式制振装置において、回転軸の回転が増速装置により増速して伝達される支持体に慣性質量体を振子振動可能に支持することで、支持体の半径および慣性質量体の質量を小さく抑えながら、回転軸の低速回転時に慣性質量体の固有振動周波数を入力振動周波数に追従させて制振機能を確保するものが、下記特許文献２により公知である。
【先行技術文献】
【特許文献】
【０００４】
【特許文献１】日本特許第３２２１８６６号公報
【特許文献２】日本特開平１０−１８４７９９号公報
【発明の概要】
【発明が解決しようとする課題】
【０００５】
ところで、近年の自動車用のエンジンは環境保護の観点から排気量が減少する傾向にあり、排気量の減少に伴ってエンジンの気筒数が減少すると、エンジンの振動周波数が減少することになる。本明細書の「発明を実施するための形態」の欄で説明するように、低い周波数の振動を遠心振子式制振装置で制振しようとすると、支持体に支持された複数の慣性質量体の振幅が増加するため、慣性質量体どうしが相互に干渉するのを回避するために慣性質量体の寸法を小型化することが必要となり、そのために遠心振子式制振装置の制振性能が低下する問題がある。【０００６】
上記特許文献１に記載されたものは、慣性質量体の固有振動数を振幅によらずに常に一定とすることで制振性能を向上させるものであるが、振幅の増加による慣性質量体どうしの干渉の問題は解決されないため、慣性質量体の寸法が小さくなって充分な制振性能が得られないという問題は依然として存在する。【０００７】
また上記特許文献２に記載されたものは、遊星歯車機構のような複雑な構造の増速装置を必要とするため、部品点数が増加してコストアップの要因となるだけでなく、大型化により重量や搭載スペースの面で不利になるという問題がある。【０００８】
本発明は前述の事情に鑑みてなされたもので、低周波数の振動に対する遠心振子式制振装置の制振性能を高めることを目的とする。
【課題を解決するための手段】
【０００９】
上記目的を達成するために、本発明によれば、回転数が変動する回転軸と、前記回転軸に設けられた支持体と、前記支持体の外周部の周方向に分割された複数の領域にそれぞれ支持された複数の慣性質量体と、前記支持体の前記複数の領域にそれぞれ設けられた一対の第１曲線軌道と、前記複数の慣性質量体にそれぞれ設けられて前記一対の第１曲線軌道と逆方向に湾曲する一対の第２曲線軌道と、前記第１曲線軌道および前記第２曲線軌道の交差部に転動自在に嵌合する複数のピンとを備え、前記支持体に対して前記慣性質量体が前記第１、第２曲線軌道の形状に応じた軌跡で振子振動することで制振作用を発揮する遠心振子式制振装置であって、前記一対の第１曲線軌道の形状を相互に異ならせるとともに、前記一対の第２曲線軌道の形状を相互に異ならせたことを第１の特徴とする遠心振子式制振装置が提案される。【００１０】
また本発明によれば、前記第１の特徴に加えて、前記一対の第１曲線軌道の一方の曲率半径の中心と前記一対の第２曲線軌道の一方の曲率半径の中心とを結ぶ第１線分の長さと、前記一対の第１曲線軌道の他方の曲率半径の中心と前記一対の第２曲線軌道の他方の曲率半径の中心とを結ぶ第２線分の長さとが異なることを第２の特徴とする遠心振子式制振装置が提案される。【００１１】
また本発明によれば、前記第１または第２の特徴に加えて、前記慣性質量体は中央部よりも外端部の質量が大きいことを第３の特徴とする遠心振子式制振装置が提案される。【００１２】
尚、実施の形態のメインシャフト１２は本発明の回転軸に対応し、実施の形態の二次フライホイール１４は本発明の支持体に対応する。
【発明の効果】
【００１３】
本発明の第１の特徴によれば、遠心振子式制振装置は、回転数が変動する回転軸と、回転軸に設けられた支持体と、支持体の外周部の周方向に分割された複数の領域にそれぞれ支持された複数の慣性質量体と、支持体の複数の領域にそれぞれ設けられた一対の第１曲線軌道と、複数の慣性質量体にそれぞれ設けられて一対の第１曲線軌道と逆方向に湾曲する一対の第２曲線軌道と、第１曲線軌道および第２曲線軌道の交差部に転動自在に嵌合する複数のピンとを備え、支持体に対して慣性質量体が第１、第２曲線軌道に応じた軌跡で振子振動することで制振作用を発揮する。【００１４】
その際に、一対の第１曲線軌道の形状を相互に異ならせるとともに、一対の第２曲線軌道の形状を相互に異ならせたので、慣性質量体は支持体の周方向に並進運動するだけでなく自転運動することになり、並進運動による制振力および自転運動による制振力の両方を発生させて制振性能を向上させることができる。また回転軸の回転変動周波数が減少すると、それに応じて慣性質量体の固有振動周波数を減少させる必要があるために振幅が増加して支持体の領域からはみ出し易くなるが、慣性質量体が並進運動に伴って自転運動することで支持体の領域からはみ出し難くなり、その分だけ慣性質量体を大型化して質量および慣性モーメントを増加させ、制振性能を更に向上させることができる。【００１５】
また本発明の第２の特徴によれば、一対の第１曲線軌道の一方の曲率半径の中心と一対の第２曲線軌道の一方の曲率半径の中心とを結ぶ第１線分の長さと、一対の第１曲線軌道の他方の曲率半径の中心と一対の第２曲線軌道の他方の曲率半径の中心とを結ぶ第２線分の長さとが異なるので、慣性質量体を並進運動および自転運動させることができる。【００１６】
また本発明の第３の特徴によれば、慣性質量体は中央部よりも外端部の質量が大きいので慣性モーメントが大きくなり、慣性質量体が自転運動する際のエネルギー吸収量が増加して制振性能が向上する。
【図面の簡単な説明】
【００１７】
【図１】図１はエンジンおよびトランスミッションの間に配置されたダンパーの模式図である。（第１の実施の形態）
【図２】図２は図１の２−２線矢視図である。（第１の実施の形態）
【図３】図３は図２の３−３線断面図である。（第１の実施の形態）
【図４】図４は慣性質量体の斜視図である。（第１の実施の形態）
【図５】図５は四節リンクの作用説明図である。（第１の実施の形態）
【図６】図６は慣性質量体の移動範囲を示す図である。（第１の実施の形態）
【図７】図７は慣性質量体の斜視図である。（第２の実施の形態）
【図８】図８は四節リンクの作用説明図である。（比較例）
【図９】図９は慣性質量体の移動範囲を示す図である。（比較例）
【符号の説明】
【００１８】
１２        メインシャフト（回転軸）
１４        二次フライホイール（支持体）
１６        慣性質量体
２２Ａ      第１曲線軌道
２２Ｂ      第１曲線軌道
２３Ａ      第２曲線軌道
２３Ｂ      第２曲線軌道
２４        ピン
Ａ          第１曲線軌道の一方の曲率半径の中心
Ｂ          第１曲線軌道の他方の曲率半径の中心
Ｃ          第２曲線軌道の一方の曲率半径の中心
Ｄ          第２曲線軌道の他方の曲率半径の中心
Ｓ          領域
【発明を実施するための形態】
【００１９】
以下、図１〜図６に基づいて本発明の第１の実施の形態を説明する。
【第１の実施の形態】
【００２０】
図１に示すように、自動車のエンジンＥのクランクシャフト１１およびトランスミッションＴのメインシャフト１２間に配置されたダンパーＤは、クランクシャフト１１に接続された一次フライホイール１３と、メインシャフト１２に接続された二次フライホイール１４と、一次フライホイール１３および二次フライホイール１４を接続する複数のスプリング１５…とで構成される。本発明の支持体を構成する二次フライホイール１４には遠心振子として作用する３個の慣性質量体１６…設けられており、二次フライホイール１４および慣性質量体１６…は遠心振子式制振装置を構成する。
【００２１】
図２〜図６に示すように、二次フライホイール１４はメインシャフト１２を中心とする円板状の部材であって、その外周部に３個の扇状の慣性質量体１６…が１２０°間隔で支持される。３個の扇状の慣性質量体１６…は全て同一構造であり、第１半体１７および第２半体１８を３本のリベット１９，１９，２０で一体に結合して構成される。第１半体１７および第２半体１８は２個のリベット１９，１９で結合される両端部において相互に当接するが、両端部を除く中央部では相互に対向する面に凹部１７ａ，１８ａが形成されており、中央のリベット２０には前記凹部１７ａ，１８ａに嵌合してスペーサとして機能するカラー２１が設けられる。第１半体１７および第２半体１８の中央部に凹部１７ａ，１８ａを形成したことにより、慣性質量体１６の重心位置Ｇから遠い両端部の質量が増加し、重心位置Ｇまわりの慣性モーメントが増加する。
【００２２】
慣性質量体１６の第１半体１７および第２半体１８の重心位置Ｇを挟む二つの位置を、一対の円弧状の第２曲線軌道２３Ａ，２３Ｂが貫通する。一方（図中左側）の第２曲線軌道２３Ａの曲率半径の中心はＣであり、他方（図中右側）の第２曲線軌道２３Ｂの曲率半径の中心はＤであり、それらの中心Ｃ，Ｄは共に慣性質量体１６の径方向外側にある。
【００２３】
二次フライホイール１４の外周部は１２０°の中心角を有する３個の領域Ｓ…に区画されており、各領域Ｓに１個の慣性質量体１６が支持される。二次フライホイール１４の領域Ｓには一対の円弧状の第１曲線軌道２２Ａ，２２Ｂが貫通する。一方（図中左側）の第１曲線軌道２２Ａの曲率半径の中心はＡであり、他方（図中右側）の第１曲線軌道２２Ｂの曲率半径の中心はＢであり、それらの中心Ａ，Ｂは共に慣性質量体１６の径方向内側にある。
【００２４】
慣性質量体１６は、その第１半体１７および第２半体１８が二次フライホイール１４を挟むように支持されるが、その際に慣性質量体１６の両端のリベット１９，１９との干渉を回避するために、二次フライホイール１４の領域Ｓの外周の両端部に切欠き１４ａ，１４ａが形成され、慣性質量体１６の中央のリベット２０との干渉を回避するために、二次フライホイール１４の領域Ｓの中央部に切欠き１４ｂが形成される。
【００２５】
そして一方の第１曲線軌道２２Ａおよび一方の第２曲線軌道２３Ａの交差部をピン２４が転動可能に貫通し、他方の第１曲線軌道２２Ｂおよび他方の第２曲線軌道２３Ｂの交差部をピン２４が転動可能に貫通する。これらのピン２４，２４の両端には脱落防止用のフランジ２４ａ…が形成される。
【００２６】
次に、上記構成を備えた本発明の実施の形態の作用を説明する。
【００２７】
エンジンＥのクランクシャフト１１の回転角速度は一定ではなく、圧縮行程で減少して膨張行程で増加するため、エンジン回転数に比例した周波数の振動が発生する。このクランクシャフト１１の振動は、ダンパーＤの一次フライホイール１３および二次フライホイール１４間に配置されたスプリング１５…の伸縮により制振されるとともに、二次フライホイール１４に設けられた慣性質量体１６…の振り子運動により制振される。
【００２８】
即ち、一般の振り子は重力により鉛直方向下方に付勢されて振動するが、遠心振子式制振装置の慣性質量体１６…は遠心力により径方向外側に付勢されて振動するものであり、その慣性質量体１６…の固有振動周波数を制振したいエンジンＥの振動周波数に一致させることで、ダイナミックダンパーとしての制振機能を発揮させることができる。
【００２９】
図８は比較例の遠心振子式制振装置の慣性質量体１６の移動軌跡を説明するものである。比較例の遠心振子式制振装置において、慣性質量体１６の一方の第２曲線軌道２３Ａの曲率中心をＣとし、他方の第２曲線軌道２３Ｂの曲率中心をＤとし、また二次フライホイール１４の一方の第１曲線軌道２２Ａの曲率中心をＡとし、他方の第１曲線軌道２２Ｂの曲率中心をＢとする。第１曲線軌道２２Ａ，２２Ｂおよび第２曲線軌道２３Ａ，２３Ｂの形状は、慣性質量体１６が振子振動しても四角形ＡＣＤＢが常に平行四節リンクを構成するように、つまり節ＡＣ＝節ＢＤかつ節ＡＢ＝節ＣＤが常に成立するように設定されている。
【００３０】
その結果、慣性質量体１６は二次フライホイール１４に対して自転運動することなく並進運動だけを行う。またメインシャフト１２の中心をＯ１とし、慣性質量体１６の振子振動の中心をＯ２とすると、Ｏ２の位置は不変であり、従って慣性質量体１６が振子振動しても、中心Ｏ１および中心Ｏ２間の半径Ｒは一定であり、かつ中心Ｏ２および重心位置Ｇ間の半径ｒは一定である。
【００３１】
図９は比較例の遠心振子式制振装置の慣性質量体１６の形状を示すもので、図９（Ａ）は六気筒エンジン用、図９（Ｂ）は四気筒エンジン用、図９（Ｃ）は３気筒エンジン用、図９（Ｄ）は２気筒エンジン用に対応する。４サイクルエンジンはクランクシャフトの２回転につき１回爆発するため、遠心振子式制振装置が有効な制振機能を発揮するには、その慣性質量体１６の固有振動周波数がエンジンの振動周波数に同期することが必要であり、そのためにはエンジンの回転数ωと慣性質量体１６の固有振動周波数λとの間に、
λ＝ω×√（Ｒ／ｒ）                      …（１）
の関係が成立することが必要である。ここでＲはメインシャフト１２の中心Ｏ１および慣性質量体１６の振子振動の中心Ｏ２間の半径であり、ｒは慣性質量体１６の振子振動の中心Ｏ２および慣性質量体１６の重心位置Ｇ間の半径である。
【００３２】
図９（Ａ）の六気筒エンジンの場合には、エンジンの１回転につき３回の振動が発生するため共振次数√（Ｒ／ｒ）＝３、つまりＲ＝９ｒに設定する必要がある。図９（Ｂ）の四気筒エンジンの場合には、エンジンの１回転につき２回の振動が発生するため、共振次数√（Ｒ／ｒ）＝２、つまりＲ＝４ｒに設定する必要がある。図９（Ｃ）の三気筒エンジンの場合には、エンジンの２回転につき３回の振動が発生するため共振次数√（Ｒ／ｒ）＝３／２、つまりＲ＝（９／４）ｒに設定する必要がある。図９（Ｄ）の二気筒エンジンの場合には、エンジンの１回転につき１回の振動が発生するため共振次数√（Ｒ／ｒ）＝１、つまりＲ＝ｒに設定する必要がある。
【００３３】
また二次フライホイール１４上には複数個の慣性質量体１６…が支持されるため、それらの慣性質量体１６…がそれぞれ振子振動したときに相互に干渉しないためには、各慣性質量体１６は二次フライホイール１４上に設定された扇形の領域Ｓからはみ出さないことが必要となる。
【００３４】
しかしながら、エンジンの気筒数が減少するのに応じて慣性質量体１６の振子振動の中心Ｏ２および慣性質量体１６の重心位置Ｇ間の半径ｒが相対的に大きくなるため、例えば慣性質量体１６の重心位置Ｇの揺動角を６０°確保するためにの慣性質量体１６の周方向の移動距離は、気筒数の減少に応じて大きくなる。しかも比較例の慣性質量体１６は自転運動せずに並進運動だけを行うため、慣性質量体１６が振子振動したときに領域Ｓからはみ出し易くなり、はみ出しを防止するには気筒数が減少するほど慣性質量体１６の寸法を小型化することが必要となる。このことは、図９（Ａ）の六気筒エンジンの場合の慣性質量体１６の寸法と、図９（Ｄ）の二気筒エンジンの場合の慣性質量体１６の寸法とを比較すると明らかである。
【００３５】
一方、図５は実施の形態の遠心振子式制振装置の慣性質量体１６の移動軌跡を説明するものであり、その第１曲線軌道２２Ａ，２２Ｂおよび第２曲線軌道２３Ａ，２３Ｂの形状は、慣性質量体１６が移動したときに四角形ＡＣＤＢが非平行四節リンクを構成するように、つまり節ＡＣ≠節ＢＤかつ節ＡＢ≠節ＣＤが成立するように設定されている。その結果、慣性質量体１６は二次フライホイール１４に対して並進運動すると同時に重心位置Ｇまわりに自転運動する。
【００３６】
そしてメインシャフト１２の中心をＯ１とし、慣性質量体１６の振子振動の中心をＯ２とすると、Ｏ２の位置は変化し、従って慣性質量体１６が振子振動すると、中心Ｏ１および中心Ｏ２間の半径Ｒは変化し、かつ中心Ｏ２および重心位置Ｇ間の半径ｒは変化する。言い換えると、中心Ｏ１および中心Ｏ２を結ぶ方向に対する中心Ｏ２および重心位置Ｇを結ぶ方向が成す角度を、慣性質量体１６の揺動角をθと定義すると、慣性質量体１６の自転角度（節ＡＢの傾斜角）β、半径Ｒおよび半径ｒは揺動角θの関数となる。
【００３７】
図６は実施の形態の慣性質量体１６の移動範囲を示すもので、実線で示す中央位置から鎖線で示す周方向両端位置に移動するとき、慣性質量体１６は並進運動に加えて重心位置Ｇまわりに自転運動する。即ち、慣性質量体１６は図中左側に移動するときには反時計方向に自転し、図中右側に移動するときには時計方向に自転するため、慣性質量体１６は扇状の領域Ｓに沿って移動することになり、慣性質量体１６を小型化せずとも領域Ｓからのはみ出しが防止される。このように、本実施の形態によれば、エンジンＥの気筒数が減少して共振次数を低下させる必要がある場合でも、慣性質量体１６が並進運動および自転運動を同時に行うことで領域Ｓからはみ出し難くなるため、慣性質量体１６を最大限に大型化して質量を確保し、制振効果を高めることができる。
【００３８】
また比較例の慣性質量体１６は並進運動のみを行って自転運動を行わないため、その慣性モーメントによる制振効果が得られなかったが、本実施の形態の慣性質量体１６は並進運動に加えて自転運動を行うため、その慣性モーメントによる制振効果を得ることができる。このとき、慣性質量体１６の第１、第２半体１７，１８の重心位置Ｇから離れた両端部の肉厚を大きくして慣性モーメントを増加させたことで、慣性モーメントによる制振効果を更に高めることができる。
【００３９】
本実施の形態では、慣性質量体１６の振子振動に応じて、つまり慣性質量体１６の揺動角θの変化に応じて慣性質量体１６の自転角度β、半径Ｒおよび半径ｒ等が変化するため、上記（１）式に代えて、
λ＝ω×√（Ｇ（θ）／Ｄ（θ））                …（２）
の関係が成立することが必要である。ここで、Ｇ（θ）は慣性質量体１６の運動方程式の遠心力項であり、Ｄ（θ）は慣性質量体１６の運動方程式の慣性項である。
【００４０】
本実施の形態によれば、慣性質量体１６の慣性モーメントを大きくすることで、（２）式の慣性項Ｄ（θ）が大きくなって共振次数√（Ｇ（θ）／Ｄ（θ））が低下するため、遠心振子式制振装置の慣性質量体１６の固有振動周波数を下げてエンジンＥの気筒数の減少に対応することができる。
【００４１】
以上のように、本実施の形態によれば、慣性質量体１６を並進運動に加えて自転運動させることで、慣性質量体１６の寸法（質量）を最大限に確保して制振性能を高めるとともに、自転運動に伴う制振効果を発揮させて制振性能を更に高めることができる。
【００４２】
次に、図７に基づいて本発明の第２の実施の形態を説明する。
【第２の実施の形態】
【００４３】
第１の実施の形態（図４参照）および第２の実施の形態（図７参照）を比較すると明らかなように、第１の実施の形態では、慣性質量体１６の重心位置Ｇから遠い両端部で第１、第２半体１７，１８の肉厚を大きくすることで慣性モーメントを増加させているが、第２の実施の形態では、第１、第２半体１７，１８の肉厚を一定にしながら、重心位置Ｇから遠い両端部のリベット１９，１９にタングステンや鉛等の比重の大きい金属で構成したウエイト２５，２５を支持することで慣性モーメントを増加させている。ウエイト２５，２５は、第１、第２半体１７，１８の距離を一定に保持するためのカラーとしても機能する。
【００４４】
この第２の実施の形態によっても、第１の実施の形態と同様の作用効果を達成することができる。
【００４５】
以上、本発明の実施の形態を説明したが、本発明はその要旨を逸脱しない範囲で種々の設計変更を行うことが可能である。
【００４６】
例えば、実施の形態では非平行四節リンクにおいて節ＡＣ≠節ＢＤかつ節ＡＢ≠節ＣＤが成立するように設定されているが、節ＡＣ≠節ＢＤが成立すれば、節ＡＢ≠節ＣＤは必ずしも成立する必要はない。
【００４７】
また本発明の回転軸は実施の形態のメインシャフト１２に限定されるものではない。
【００４８】
また本発明の支持体は実施の形態の二次フライホイール１４に限定されるものではない。
【００４９】
また慣性質量体１６…の数は実施の形態の３個に限定されるものではない。
【００５０】
また実施の形態のダンパーＤの一次フライホイール１３および二次フライホイール１４は必ずしも軸方向に並置されている必要はなく、径方向内外に配置されていても良い。
【００５１】
また本発明の遠心振子式制振装置は、一次フライホイール１３、二次フライホイール１４およびスプリング１５…からなるダンパーＤから分離して配置されていても良い。
【図１】
0005881130.tif 000002
【図２】
0005881130.tif 000003
【図３】
0005881130.tif 000004
【図４】
0005881130.tif 000005
【図５】
0005881130.tif 000006
【図６】
0005881130.tif 000007
【図７】
0005881130.tif 000008
【図８】
0005881130.tif 000009
【図９】
0005881130.tif 000010